(57)【特許請求の範囲】
【請求項１】
複数のスイッチング素子（Ｑ２８ａ〜Ｑ２８ｆ）を有しており、前記スイッチング素子がオンまたはオフすることによって圧縮機の駆動源である圧縮機用モータ（Ｍ２）を駆動するための駆動電圧を生成して前記圧縮機用モータに出力するインバータ（２８）と、
前記インバータの制御を行うインバータ制御部（３０）と、
前記インバータ制御部に供給する第１電源を生成する電源部（２４）と、
前記圧縮機に関する異常の有無を検知する検知部（Ｓ１１，Ｓ１２）と、
前記圧縮機に関する異常がある場合、前記電源部による前記第１電源（Ｖ１)の生成動作を停止させることで、前記インバータ制御部の制御を停止させる電源制御部（Ｓ２５）と、
を備え、
前記電源部（２４）は、外部にある外部電源部（９０）から供給される外部電源を用いて前記第１電源を生成し、
前記電源制御部（Ｓ２５）は、
前記圧縮機に関する異常がある場合、前記外部電源の前記電源部への供給を断つことにより前記電源部による前記第１電源の生成動作を停止させ、
前記外部電源部と前記電源部とを繋ぐ電源ライン上（Ｌ２１）に設けられたリレー（Ｓ２５ｂ）を有しており、
前記電源ラインを流れる電流は、前記インバータに流れる電流よりも小さい、
電源制御装置（１０）。
【請求項２】
前記インバータ制御部の出力に基づいて各前記スイッチング素子をオンまたはオフさせるインバータ駆動部（２９）、
を更に備え、
前記電源部（２４）は、
前記第１電源とは別の電源であって、前記インバータ駆動部に供給する第２電源（Ｖ２）、を更に生成し、
前記圧縮機に関する異常がある場合、前記第２電源の生成動作も停止する、
請求項１に記載の電源制御装置（１０）。
【発明の詳細な説明】
【技術分野】
【０００１】
本発明は、電源制御装置に関する。
【背景技術】
【０００２】
空気調和装置などの冷凍装置には、圧縮機やファン等のさまざまな機器が備えられている。これらの各機器の駆動源としては、モータがよく用いられている。モータは、商用電源部から供給される電力（以下、単に電源と言う）により駆動する。
【０００３】
ところで、圧縮機においては、例えば高圧異常が生じる場合がある。高圧異常とは、圧縮機によって圧縮された後の冷媒の圧力が、該圧縮機に関する何らかの原因によって正常な圧力範囲を外れてしまい、該範囲の高圧側の所定値よりも高い高圧状態となってしまう現象を言う。
【０００４】
これに対し、特許文献１（特許第４７３８１２９号）に示すように、高圧異常が生じた場合、モータへの電源供給を遮断して冷凍装置の運転を停止させる技術が知られている。
【発明の概要】
【発明が解決しようとする課題】
【０００５】
上記特許文献１では、電源をインバータに供給するためのライン上にスイッチとなる回路が設けられており、高圧異常が生じた場合には、このスイッチがオフとなる仕様となっている。しかしながら、上記ラインに供給される電源は、約２００Ｖの交流電圧であり電流量も多く、いわゆる強電である。そのため、スイッチが溶着する場合がある。スイッチが溶着すると上記ラインが遮断されないため、仮にインバータを制御するマイクロコンピュータが暴走した場合には、該コンピュータからインバータへは制御用信号が出力し続けられることとなり、圧縮機は運転し続けてしまう。
【０００６】
そこで、本発明の課題は、圧縮機に異常が生じた場合、確実に圧縮機の運転を停止することができる電源制御装置を提供することにある。
【課題を解決するための手段】
【０００７】
本発明の第１観点に係る電源制御装置は、インバータと、インバータ制御部と、電源部と、検知部と、電源制御部とを備える。インバータは、複数のスイッチング素子を有しており、スイッチング素子がオンまたはオフすることによって圧縮機の駆動源である圧縮機用モータを駆動するための駆動電圧を生成して、圧縮機用モータに出力する。インバータ制御部は、インバータの制御を行う。電源部は、インバータ制御部に供給する第１電源を生成する。検知部は、圧縮機に関する異常の有無を検知する。電源制御部は、圧縮機に関する異常がある場合、電源部による第１電源の生成動作を停止させることで、インバータ制御部の制御を停止させる。電源部は、外部にある外部電源部から供給される外部電源を用いて第１電源を生成する。電源制御部は、圧縮機に関する異常がある場合、外部電源の電源部への供給を断つことにより、電源部による第１電源の生成動作を停止させる。特に、電源制御部は、外部電源部と電源部とを繋ぐ電源ライン上に設けられたリレーを有する。電源ラインを流れる電流は、インバータに流れる電流よりも小さい。
【０００８】
この電源制御装置では、圧縮機に関する異常がある場合には、電源部による第１電源の生成動作自体が停止されることで、インバータ制御部への第１電源の供給が断たれる。インバータ制御部に第１電源が供給されない状態になると、インバータ制御部はインバータの制御用の信号を出力しなくなるため、インバータから圧縮機用モータへの駆動電圧の出力が停止し、圧縮機の運転が停止する。
【０００９】
特に、電源部からインバータ制御部に供給される第１電源は、商用電源部からインバータへのラインに供給される電源に比して弱電である。そのため、仮に商用電源部とインバータとを繋ぐライン上にスイッチが設けられており、このスイッチが溶着したとしても、第１電源の供給が断たれたインバータ制御部は駆動制御動作自体を停止するため、圧縮機用モータの駆動が停止する。従って、スイッチの溶着の有無に関係なく、またインバータ制御部の暴走が生じることもなく、確実に圧縮機の運転を停止することができる。
【００１０】
また、圧縮機に関する異常がある場合には、電源部への外部電源の供給が断たれるため、まずはインバータ制御部によるインバータの駆動制御動作が行われなくなり、その結果、インバータの圧縮機用モータへの駆動電圧の出力が停止されるようになる。
【００１１】
更にここで、外部電源としては、例えば商用電源が挙げられる。電源ラインを流れる電流がインバータに流れる電流よりも小さいことから、電源ラインは、弱電用のラインであると言える。これにより、電源ライン上に設けられるリレーとしては、弱電用のものを用いることができるため、コストダウンを図ることができる。更に、リレーには、インバータに流れるような大きな電流は流れないため、リレーが溶着される危険性も低い。
【００１２】
本発明の第２観点に係る電源制御装置は、第１観点に係る電源制御装置において、インバータ駆動部を更に備える。インバータ駆動部は、インバータ制御部の出力に基づいて各スイッチング素子をオンまたはオフさせる。そして、電源部は、第２電源を更に生成する。第２電源は、第１電源とは別の電源であって、インバータ駆動部に供給する電源である。更に、電源部においては、圧縮機に関する異常がある場合、第２電源の生成動作も停止する。
【００１３】
この電源制御装置では、電源部が第１電源に加えて第２電源を生成するため、圧縮機に関する異常がある場合には、第１電源の生成動作に加えて第２電源の生成動作も停止する。その結果、インバータ制御部への第１電源の供給のみならず、インバータ駆動部への第２電源の供給も断たれる。これにより、圧縮機に関する異常がある場合、インバータによる駆動電圧の出力動作が、より確実に停止することとなる。
【発明の効果】
【００１４】
本発明の第１観点に係る電源制御装置によると、スイッチの溶着の有無に関係なく、またインバータ制御部の暴走が生じることもなく、確実に圧縮機の運転を停止することができる。また、圧縮機に関する異常がある場合には、電源部への外部電源の供給が断たれるため、まずはインバータ制御部によるインバータの駆動制御動作が行われなくなり、その結果、インバータの圧縮機用モータへの駆動電圧の出力が停止されるようになる。更に、電源ライン上に設けられるリレーとしては、弱電用のものを用いることができるため、コストダウンを図ることができる。更に、リレーには、インバータに流れるような大きな電流は流れないため、リレーが溶着される危険性も低い。
【００１５】
本発明の第２観点に係る電源制御装置によると、圧縮機に関する異常がある場合、インバータによる駆動電圧の出力動作が、より確実に停止することとなる。
【図面の簡単な説明】
【００１６】
【図１】モータ駆動システムの構成概略図。
【図２】高圧異常検出基板に実装されている回路構成（本実施形態に係る電源制御装置の一部を含む）を概略的に示す図。
【図３】圧縮機用インバータ基板に実装されている回路構成（本実施形態に係る電源制御装置の一部を含む）を概略的に示す図。
【図４】スイッチング電源部の回路構成の一例。
【図５】インバータ部の回路構成を概略的に示す図。
【図６】ファン用インバータ基板に実装されている回路構成を概略的に示す図。
【図７】本実施形態に係る電源制御装置及び各モータの動作の流れを示すフロー図。
【図８】変形例Ｂにおけるスイッチング電源部の回路構成の一例。
【発明を実施するための形態】
【００１７】
以下、本発明に係る電源制御装置について、図面を参照しつつ詳述する。なお、以下の実施形態は、本発明の具体例であって、本発明の技術的範囲を限定するものではない。
【００１８】
（１）全体構成
図１は、モータ駆動システム１０１の構成概略図である。モータ駆動システム１０１は、複数のモータＭ２，Ｍ４，・・・と、本実施形態に係る電源制御装置１０の一部の構成要素が実装された高圧異常検出基板Ｐ１と、電源制御装置１０の残りの構成要素が実装された圧縮機用インバータ基板Ｐ２と、ファン用インバータ基板Ｐ４とで構成される。
【００１９】
モータＭ２，Ｍ４，・・・は、それぞれ冷凍装置の一例である空気調和装置の室外機に備えられた圧縮機の駆動源、及び、同じく室外機に備えられたファンの駆動源であって、例えば３相のブラシレスＤＣモータであることができる。図示はしていないが、モータＭ２，Ｍ４，・・・は、複数の駆動コイルで構成されるステータ、永久磁石で構成されるロータ、及び、ステータに対するロータの位置を検出するためのホール素子等を有している。
【００２０】
高圧異常検出基板Ｐ１は、各インバータ基板Ｐ２，Ｐ４とハーネスを介して接続されている。高圧異常検出基板Ｐ１は、各インバータ基板Ｐ２，Ｐ４の統括制御を行うのみならず、圧縮機に関する異常を検出する。ここで、圧縮機に関する異常としては、高圧異常等が挙げられる。
【００２１】
圧縮機用インバータ基板Ｐ２は、圧縮機用モータＭ２を駆動するための基板であって、ファン用インバータ基板Ｐ４は、ファン用モータＭ４を駆動するための基板である。各インバータ基板Ｐ２，Ｐ４は、対応するモータＭ２，Ｍ４それぞれとハーネスを介して電気的に接続されている。また、各インバータ基板Ｐ２，Ｐ４同士も、ハーネスを介して電気的に接続されている。
【００２２】
なお、本実施形態では、圧縮機が複数備えられているが、図１では、説明の便宜上、圧縮機用モータＭ２及び圧縮機用インバータ基板Ｐ２の組み合わせが１つである場合を表している。しかし、実際には、圧縮機が複数ある場合は、各圧縮機ごとに、圧縮機用モータＭ２及び圧縮機用インバータ基板Ｐ２の組み合わせが設けられる。そのため、図１では省略しているが、圧縮機用モータＭ２及び圧縮機用インバータ基板Ｐ２の組み合わせは、複数存在する。
【００２３】
（２）詳細構成
以下では、各基板に実装されている回路構成について詳述する。
【００２４】
（２−１）高圧異常検出基板
図２は、高圧異常検出基板Ｐ１に実装されている回路構成を概略的に示した図である。図２に示すように、高圧異常検出基板Ｐ１は、主として、異常検知スイッチＳ１１，Ｓ１２（検知部に相当）、統括制御用マイクロコンピュータ１３、統括制御用スイッチＳ１４、及びインターフェース１５を備える。異常検知スイッチＳ１１，Ｓ１２は、本実施形態に係る電源制御装置１０の構成要素の一部である。
【００２５】
（２−１−１）異常検知スイッチ
異常検知スイッチＳ１１，Ｓ１２は、約１６Ｖの電源ラインＬ１１上に設けられたソケットＳ１１ａ，Ｓ１２ａを介して、直列に接続されている。異常検知スイッチＳ１１，Ｓ１２は、室外機の圧縮機の数に対応して設けられており、対応する各圧縮機の異常の有無を検知する。具体的に、対応する圧縮機によって圧縮された後の冷媒の圧力が、該圧縮機に関する何らかの原因によって正常な圧力範囲を外れてしまい、該圧力範囲の高圧側の所定値よりも高い高圧状態となってしまった場合、異常検知スイッチＳ１１，Ｓ１２は動作して該スイッチ自身の状態が変化する。つまり、本実施形態に係る異常検知スイッチＳ１１，Ｓ１２は、高圧異常を検知する高圧圧力スイッチ（即ち、ＨＰＳ：Ｈｉｇｈ  Ｐｒｅｓｓｕｒｅ  Ｓｗｉｔｃｈ）である。
【００２６】
ここで、本実施形態では、各異常検知スイッチＳ１１，Ｓ１２としては、常閉接点が採用されている。つまり、各異常検知スイッチＳ１１，Ｓ１２は、対応する圧縮機に異常がない場合には（即ち、正常の場合）、オン状態を採る。逆に、各異常検知スイッチＳ１１，Ｓ１２は、対応する圧縮機に異常がある場合には、オフ状態を採る。特に、本実施形態における異常検知スイッチＳ１１，Ｓ１２には、弱電の電圧として、約３０Ｖよりも低い電圧（ここでは、約１６Ｖ）が印加されている。
【００２７】
また、本実施形態に係る図２では、一例として、室外機の圧縮機の数が２つであり、従って異常検知スイッチＳ１１、Ｓ１２も２つ設けられている場合を表している。従って、２つの圧縮機のうち、少なくとも１つの圧縮機において異常があれば、直列接続された異常検知スイッチＳ１１，Ｓ１２の少なくとも１つがオフ状態となるため、図２の約１６Ｖの電源ラインＬ１１は遮断されることとなる。
【００２８】
なお、電源ラインＬ１１に印加される約１６Ｖの電圧は、同じく高圧異常検知基板Ｐ１上に実装されているスイッチング電源部等（図示せず）によって生成される。
【００２９】
以下では、説明の便宜上、異常検知スイッチＳ１２とインターフェース１５との接続部分を“接続ポイントｓａ１”と言う。
【００３０】
（２−１−２）統括制御用マイクロコンピュータ
統括制御用マイクロコンピュータ１３は、圧縮機やファン、モータＭ２，Ｍ４，・・・等の、空気調和装置を構成する各種機器を統括的に制御するものである。具体的には、統括制御用マイクロコンピュータ１３は、これらの各種機器から様々な信号が入力されると、該信号に基づいて、各種機器の駆動原となるモータ（例えば、モータＭ２，Ｍ４，・・・）の駆動を制御する。統括制御用マイクロコンピュータ１３によるより具体的な制御内容としては、たとえば以下が挙げられる。
【００３１】
統括制御用マイクロコンピュータ１３は、モータＭ２，Ｍ４，・・・における漏洩電流の値を検知する。そして、少なくとも１つのモータＭ２，Ｍ４，・・・における検知結果が所定値を超えている場合には、統括制御用マイクロコンピュータ１３は、いずれかのモータＭ２，Ｍ４，・・・において電流異常が生じていると判断して、該当するモータＭ２，Ｍ４，・・・を停止させる制御が挙げられる。
【００３２】
上述した制御を行うため、統括制御用マイクロコンピュータ１３は、統括制御用スイッチＳ１４をオン及びオフさせるための電圧を、該スイッチＳ１４に対して出力する。
【００３３】
（２−１−３）統括制御用スイッチ
統括制御用スイッチＳ１４は、Ｐｃｈのバイポーラトランジスタで構成されており、異常検知スイッチＳ１１，Ｓ１２とＧＮＤ側に位置する抵抗Ｒ１１との間に直列に接続されている。具体的に、統括制御用スイッチＳ１４のエミッタはインターフェース１５を介して異常検知スイッチＳ１２に、ベースは統括制御用マイクロコンピュータ１３の出力に、コレクタは抵抗Ｒ１１を介してＧＮＤに、それぞれ接続されている。
【００３４】
このような統括制御用スイッチＳ１４は、統括制御用マイクロコンピュータ１３による制御内容に基づいてオンまたはオフの状態を採る。具体的には、電流異常等が生じていないと統括制御用マイクロコンピュータ１３が判断した場合には、該コンピュータ１３からは統括制御用スイッチＳ１４をオンにする約０Ｖの電圧（即ち、“Ｌ”）が出力されることで、統括制御用スイッチＳ１４はオンの状態を採る。しかし、電流異常等が生じたと統括制御用マイクロコンピュータ１３が判断した場合には、該コンピュータ１３からは統括制御用スイッチＳ１４をオフにする約１６Ｖ（即ち、“Ｈ”）が出力されることで、統括制御用スイッチＳ１４は、オフの状態を採る。
【００３５】
従って、高圧異常検知基板Ｐ１においては、異常検知スイッチＳ１１，Ｓ１２による圧縮機の異常検知のみならず、例えばモータＭ２，Ｍ４，・・・における漏洩電流の検知によっても、図２の約１６Ｖの電源ラインＬ１１が遮断されることとなる。特に、異常検知スイッチＳ１１，Ｓ１２が故障しており異常検知ができない状態にあっても、漏洩電流の検知結果によって約１６Ｖの電源ラインＬ１１が遮断されるため、安全性が増していると言える。
【００３６】
以下では、説明の便宜上、統括制御用スイッチＳ１４のエミッタとインターフェース１５との接続部分を“接続ポイントｓａ２”と言う。
【００３７】
（２−１−４）インターフェース
インターフェース１５は、高圧異常検知基板Ｐ１を圧縮機用インバータ基板Ｐ２と電気的に接続するためのものであって、該インバータ基板Ｐ２から延びる２本のハーネスの先端部分が接続されるコネクタで構成されている。
【００３８】
このようなインターフェース１５は、電源ラインＬ１１上において、異常検知スイッチＳ１２と統括制御用スイッチＳ１４との間に、該スイッチＳ１２，Ｓ１４に対して直列に接続されている。従って、圧縮機用インバータ基板Ｐ２から延びる２本のハーネスは、インターフェース１５を介して２つの接続ポイントｓａ１，ｓａ２と接続される。
【００３９】
（２−２）圧縮機用インバータ基板
図３は、圧縮機用インバータ基板Ｐ２に実装されている回路構成を概略的に示した図である。圧縮機用インバータ基板Ｐ２は、図３に示すように、主として、３つのインターフェース２１，２２，２３、スイッチング電源部２４、電源制御スイッチＳ２５（電源制御部に相当）、整流部２６、平滑コンデンサ２７、圧縮機用インバータ２８、圧縮機用ゲートドライバ２９（インバータ駆動部に相当）、及び、圧縮機用マイクロコンピュータ３０（インバータ制御部に相当）を備える。
【００４０】
なお、既に述べた高圧異常検出基板Ｐ１上の異常検知スイッチＳ１１，Ｓ１２、並びに、圧縮機用インバータ基板Ｐ２におけるスイッチング電源部２４、電源制御スイッチ２５、圧縮機用インバータ２８、圧縮機用ゲートドライバ２９及び圧縮機用マイクロコンピュータ３０によって、本実施形態に係る電源制御装置１０が構成されている。
【００４１】
（２−２−１）インターフェース
インターフェース２１は、高圧異常検出基板Ｐ１と圧縮機用インバータ基板Ｐ２とを電気的に接続するためのものである。インターフェース２１は、一端が高圧異常検出基板Ｐ１のインターフェース１５に接続された２本のハーネスの他端部分が接続されるように、コネクタで形成されている。即ち、インターフェース２１は、高圧異常検出基板Ｐ１上の接続ポイントｓａ１及び接続ポイントｓａ２を、圧縮機用インバータ基板Ｐ２側の回路と繋ぐためのものである。
【００４２】
インターフェース２２は、圧縮機用モータＭ２と圧縮機用インバータ基板Ｐ２とを電気的に接続するためのものである。インターフェース２３は、ファン用インバータ基板Ｐ４と圧縮機用インバータ基板Ｐ２とを電気的に接続するためのものである。インターフェース２２，２３は、それぞれ３本のハーネスが接続されるようなコネクタで形成されている。インターフェース２２により、圧縮機用モータＭ２へは、後述する駆動電圧ＳＵ１，ＳＶ１，ＳＷ１が出力されるようになる。インターフェース２３により、ファン用インバータ基板Ｐ４へは、後述する第２電源Ｖ２が供給されると共に各種電圧Ｖｆ，Ｖｇｎｄが印加されるようになる。
【００４３】
（２−２−２）スイッチング電源部
スイッチング電源部２４は、その入力側が空気調和装置の外部にある商用電源部（外部電源部に相当）９０と接続されており、出力側が圧縮機用マイクロコンピュータ３０及び圧縮機用ゲートドライバ２９と接続されている。スイッチング電源部２４は、商用電源部９０から供給される商用電源Ｖ０（外部電源に相当）を用いて、圧縮機用マイクロコンピュータ３０に供給する第１電源Ｖ１と、圧縮機用ゲートドライバ２９に供給する第２電源Ｖ２とを生成する。
【００４４】
ここで、第１電源Ｖ１及び第２電源Ｖ２は、いずれも直流の電圧を有する電源である。第１電源Ｖ１及び第２電源Ｖ２は、互いに別々の電源であって、例えば第１電源Ｖ１は約５Ｖ、第２電源Ｖ２は、約１５Ｖであることができる。商用電源Ｖ０は、３相交流の約２００Ｖの電圧を有する電源である。
【００４５】
図４は、スイッチング電源部２４の詳細な構成の一例を表している。図４に係るスイッチング電源部２４は、主として、整流部２４ａ、平滑コンデンサ２４ｂ、第１電圧側高周波トランス２４ｃ、第１電圧側スイッチング素子２４ｄ、制御回路２４ｅ、第２電圧側高周波トランス２４ｆ、及び第２電圧側スイッチング素子２４ｇで構成されている。
【００４６】
スイッチング電源部２４に商用電源部９０からの商用電源Ｖ０が入力されると、商用電源Ｖ０は、整流部２４ａにおいて整流され、次いで１次側の電界コンデンサである平滑コンデンサ２４ｂによって平滑される。各スイッチング素子２４ｄ，２４ｇがそれぞれ個々の周波数にてオン及びオフを繰り返すことで、平滑された電圧は、各高周波トランス２４ｃ，２４ｆにて高周波の交流電圧となる。なお、各スイッチング素子２４ｄ，２４ｇのオン及びオフは、制御回路２４ｅによって制御され、互いに異なる周波数でオン及びオフを繰り返す。
【００４７】
高周波の交流電圧は、それぞれ各高周波トランス２４ｃ，２４ｆを介して２次側に伝達されると、各２次側のダイオードｄ１，ｄ２によって整流され、次いで２次側の各電界コンデンサｃ１，ｃ２によって平滑されて、直流の電圧となる。電界コンデンサｃ１によって平滑された直流の電圧は、第１電源Ｖ１としてスイッチング電源部２４から出力され、電界コンデンサｃ２によって平滑された直流の電圧は、第２電源Ｖ２としてスイッチング電源部２４から出力される。
【００４８】
（２−２−３）電源制御スイッチ
電源制御スイッチＳ２５は、商用電源部９０からスイッチング電源部２４への商用電源Ｖ０の供給をオン及びオフさせるためのものである。つまり、電源制御スイッチ２５は、該スイッチ２５自身がオフとなることで、スイッチング電源部２４による第１電源Ｖ１及び第２電源Ｖ２の電源動作を停止させて、圧縮機用マイクロコンピュータ３０による制御動作及び圧縮機用ゲートドライバ２９の駆動動作を停止させることができる。
【００４９】
このような電源制御スイッチＳ２５は、図３に示すように、１つのリレーコイルＳ２５ａと１つのリレースイッチＳ２５ｂとで構成されている。
【００５０】
リレーコイルＳ２５ａは、インターフェース２１を介して、高圧異常検出基板Ｐ１上の接続ポイントｓａ１と接続ポイントｓａ２との間に、該ポイントｓａ１，ｓａ２に直列に接続されている。従って、リレーコイルＳ２５ａは、高圧異常検出基板Ｐ１上の接続ポイントｓａ１と接続ポイントｓａ２とを介して、該基板Ｐ１上の異常検出スイッチＳ１１，Ｓ１２及び統括制御用スイッチＳ１４に直列に接続されることとなる。リレーコイルＳ２５ａの両端電圧は、接続ポイントｓａ１と接続ポイントｓａ２との電圧差に等しい。
【００５１】
リレースイッチＳ２５ｂは、商用電源部９０の出力とスイッチング電源部２４の入力とを繋ぐ電源ラインＬ２１上に設けられている。より具体的には、商用電源部９０側から延びるラインは、途中で、整流部２６側へと延びるラインと、スイッチング電源部２４側へと延びる電源ラインＬ２１とに、分岐している。リレースイッチＳ２５ｂは、当該分岐点からスイッチング電源部２４側へと延びる電源ラインＬ２１上に設けられている。リレースイッチＳ２５ｂは、リレーコイルＳ２５ａの両端電圧の値に基づきオン／オフする。
【００５２】
なお、電源ラインＬ２１上を流れる電流は、圧縮機用インバータ２８上を流れる電流よりも小さい。即ち、圧縮機用インバータ２８には、該インバータ２８内における上側のトランジスタＱ２８ａ，Ｑ２８ｃ，Ｑ２８ｅ、圧縮機用モータＭ２、該インバータ２８内における下側のトランジスタＱ２８ｂ，Ｑ２８ｄ，Ｑ２８ｆの順に（図５参照）、モータ電流が流れる。モータ電流は、例えば約３０Ａである。一方で、電源ラインＬ２１には、回路構成上モータ電流は流れず、電源ラインＬ２１上を流れる電流の大きさは約１Ａである。従って、電源ラインＬ２１には、モータ電流に比して低い電流が流れるため、電源ラインＬ２１上に位置するリレースイッチＳ２５ｂとしては、弱電用のものを用いることができる。更に、リレースイッチＳ２５ｂには、モータ電流のような大きな電流は流れないため、リレースイッチＳ２５ｂが溶着されてしまうこともない。
【００５３】
ここで、電源制御スイッチＳ２５の動作について説明する。圧縮機に関する異常が生じておらず異常検知スイッチＳ１１，Ｓ１２がいずれもオンしており、かつ統括制御用スイッチＳ１４もオンしている正常状態の場合には、接続ポイントｓａ１には約１６Ｖの電圧が印加され、接続ポイントｓａ２には約０Ｖに近い電圧が印加される。そのため、リレースイッチＳ２５ｂの両端電圧は約１６Ｖを保つこととなり、リレースイッチＳ２５ｂはオンの状態となる。しかし、異常検知スイッチＳ１１，Ｓ１２の少なくとも１つが圧縮機に関する異常を検知してオフとなると、接続ポイントｓａ１は約１６Ｖの電圧が印加されないこととなりハイ・インピーダンスの状態となる。そのため、リレーコイルＳ２５ａの両端電圧は所定電圧（具体的には、約１６Ｖ）を保てない状態となり、リレースイッチＳ２５ｂはオフする。また、統括制御用マイクロコンピュータ１３によって統括制御用スイッチＳ１４がオフとなると、接続ポイントｓａ２は約０Ｖに近い電圧が印加されないこととなりハイ・インピーダンス状態となる。そのため、この場合も、リレーコイルＳ２５ａの両端電圧は所定電圧（具体的には、約１６Ｖ）を保てない状態となり、リレースイッチＳ２５ｂはオフする。
【００５４】
（２−２−４）整流部
整流部２６は、６つのダイオード２６ａ，２６ｂ，２６ｃ，２６ｄ，２６ｅ，２６ｆで構成されている。ダイオード２６ａ及び２６ｂ、２６ｃ及び２６ｄ，２６ｅ及び２６ｆは、それぞれ互いに直列に接続されると共に、これらは互いに並列となるように接続されている。直列接続されたダイオード２６ａ〜２６ｂ，２６ｃ〜２６ｄ，２６ｅ〜２６ｆの各接続点は、３相の商用電源部９０に接続されている。このような整流部２６により、商用電源部９０から出力された交流の商用電源Ｖ０は整流される。
【００５５】
（２−２−５）平滑コンデンサ
平滑コンデンサ２７は、一端が整流部２６の正側出力端子に接続され、他端が整流部２６の負側出力端子に接続されている。平滑コンデンサ２７は、整流部２６によって整流された電圧を平滑する。平滑コンデンサ２７によって平滑された電圧（以下、平滑後電圧Ｖｆと言う）は、比較的リップルの低い電圧となっており、平滑コンデンサ２７の後段における圧縮機用インバータ２８に印加される。
【００５６】
なお、コンデンサの種類としては、電解コンデンサやセラミックコンデンサ、タンタルコンデンサ等が挙げられるが、平滑コンデンサ２７としては、電解コンデンサが採用される。
【００５７】
（２−２−６）圧縮機用インバータ
圧縮機用インバータ２８は、平滑コンデンサ２７の後段において平滑コンデンサ２７の両端に並列に接続されており、平滑後電圧Ｖｆ及びグランド電圧Ｖｇｎｄの印加を受ける。圧縮機用インバータ２８は、圧縮機用モータＭ２に３相の駆動電圧ＳＵ１，ＳＶ１，ＳＷ１を出力することで、圧縮機用モータＭ２を駆動する。
【００５８】
図５に示すように、圧縮機用インバータ２８は、複数の絶縁ゲート型バイポーラトランジスタＱ２８ａ，Ｑ２８ｂ，Ｑ２８ｃ，Ｑ２８ｄ，Ｑ２８ｅ，Ｑ２８ｆ（スイッチング素子に相当。以下、単にトランジスタという）及び複数の還流用ダイオードＤ２８ａ，Ｄ２８ｂ，Ｄ２８ｃ，Ｄ２８ｄ，Ｄ２８ｅ，Ｄ２８ｆで構成される。トランジスタＱ２８ａとＱ２８ｂ、Ｑ２８ｃとＱ２８ｄ、Ｑ２８ｅとＱ２８ｆは、それぞれ互いに直列に接続されており、各ダイオードＤ２８ａ〜Ｄ２８ｆは、各トランジスタＱ２８ａ〜Ｑ２８ｆに並列接続されている。
【００５９】
このような圧縮機用インバータ２８は、各トランジスタＱ２８ａ〜Ｑ２８ｆが所定のタイミングでオン及びオフを行うことで、圧縮機用モータＭ２を駆動するための駆動電圧ＳＵ１〜ＳＷ１を生成し、該電圧ＳＵ１〜ＳＷ１をインターフェース２２を介して圧縮機用モータＭ２に出力する。この駆動電圧ＳＵ１〜ＳＷ１により、圧縮機用モータＭ２は回転することができる。
【００６０】
（２−２−７）圧縮機用ゲートドライバ
圧縮機用ゲートドライバ２９は、図３に示すように、スイッチング電源部２４、圧縮機用マイクロコンピュータ３０、及び図５に示すように各トランジスタＱ２８ａ〜Ｑ２８ｆのゲート、と接続されている。
【００６１】
圧縮機用ゲートドライバ２９は、スイッチング電源部２４から第２電源Ｖ２の供給を受け、該電源Ｖ２を用いて駆動する。圧縮機用ゲートドライバ２９は、圧縮機用マイクロコンピュータ３０からの出力（具体的には、以下に述べる指示信号）に基づいて、圧縮機用インバータ２８における各トランジスタＱ２８ａ〜Ｑ２８ｆへのゲート電圧の印加制御を行うことで、各トランジスタＱ２８ａ〜Ｑ２８ｆをオン及びオフさせる。
【００６２】
（２−２−８）圧縮機用マイクロコンピュータ
圧縮機用マイクロコンピュータ３０は、ＣＰＵ、ＲＡＭ及びＲＯＭで構成されており、スイッチング電源部２４及び圧縮機用ゲートドライバ２９と接続されている。圧縮機用マイクロコンピュータ３０は、スイッチング電源部２４において生成された第１電源Ｖ１の供給を受けて圧縮機用ゲートドライバ２９の駆動制御を行うことで、圧縮機用インバータ２８の制御を行う。
【００６３】
具体的には、圧縮機用マイクロコンピュータ３０は、高圧異常検知基板Ｐ１における統括制御用マイクロコンピュータ１３からのモータ駆動の指令等により、圧縮機用モータＭ２を所定回転数で駆動させるための指示信号を、圧縮機用ゲートドライバ２９に出力する。これにより、圧縮機用ゲートドライバ２９は、圧縮機用インバータ２８の各トランジスタＱ２８ａ〜Ｑ２８ｆを所定周波数にてオン及びオフさせるゲート電圧を出力することとなる。また、圧縮機用マイクロコンピュータ３０は、統括制御用マイクロコンピュータ１３からモータ駆動停止の指令等を取得した場合には、圧縮機用モータＭ２の回転を停止させるための指示信号を、圧縮機用ゲートドライバ２９に出力する。これにより、圧縮機用ゲートドライバ２９は、各トランジスタＱ２８ａ〜Ｑ２８ｆに“０Ｖ”のゲート電圧を出力する。
【００６４】
特に、本実施形態では、圧縮機に関する異常が生じた場合や、少なくとも１つのモータＭ２，Ｍ４，・・・における漏洩電流が生じた場合には、電源制御スイッチＳ２５がオフするため、スイッチング電源部２４への商用電源Ｖ０の供給が断たれ、スイッチング電源部２４による第１電源Ｖ１の生成動作が停止する。この場合、第１電源Ｖ１の圧縮機用マイクロコンピュータ３０への供給が断たれるため、圧縮機用マイクロコンピュータ３０は、圧縮機用インバータ２８の制御動作を行わなくなり、圧縮機用モータＭ２は回転を停止する。
【００６５】
（２−３）ファン用インバータ基板
図６は、ファン用インバータ基板Ｐ４に実装されている回路構成を概略的に示した図である。ファン用インバータ基板Ｐ４は、主として、２つのインターフェース４１，４２、スイッチング電源部４３、ファン用インバータ４４、ファン用ゲートドライバ４５、及び、ファン用マイクロコンピュータ４６を備える。
【００６６】
（２−３−１）インターフェース
インターフェース４１は、圧縮機用インバータ基板Ｐ２とファン用インバータ基板Ｐ４とを電気的に接続するためのものである。インターフェース４１は、３本のハーネスが接続されるようなコネクタで形成されている。このインターフェース４１により、圧縮機用インバータ基板Ｐ２からファン用インバータ基板Ｐ４へは、第２電源Ｖ２が供給されると共に、平滑後電圧Ｖｆ及びグランド電圧Ｖｇｎｄが印加されるようになる。
【００６７】
インターフェース４２は、ファン用モータＭ４とファン用インバータ基板Ｐ４とを電気的に接続するためのものである。インターフェース４２は、３本のハーネスが接続されるようなコネクタで形成されている。このインターフェース４２により、ファン用モータＭ４へは、後述する駆動電圧ＳＵ２，ＳＶ２，ＳＷ２が出力されるようになる。
【００６８】
（２−３−２）スイッチング電源部
スイッチング電源部４３は、その入力側がインターフェース４１を介して圧縮機用インバータ基板Ｐ２上のスイッチング電源部２４に接続されており、出力側がファン用インバータ基板Ｐ４上のファン用マイクロコンピュータ４６に接続されている。スイッチング電源部４３は、インターフェース４１を介して圧縮機用インバータ基板Ｐ２側から第２電源Ｖ２が供給される。スイッチング電源部４３は、この第２電源Ｖ２を用いて、ファン用マイクロコンピュータ３０に供給する第３電源Ｖ３を生成する。
【００６９】
ここで、第３電源Ｖ３は、第１及び第２電源Ｖ１，Ｖ２と同様、直流の電圧を有する電源である。第３電源Ｖ３は、約１５Ｖである第２電源Ｖ２よりも低い、約５Ｖであることができる。
【００７０】
なお、スイッチング電源部４３の詳細な構成の一例としては、図４において第１電源Ｖ１を生成する構成と同様の構成が挙げられる。即ち、圧縮機用インバータ基板Ｐ２のスイッチング電源部２４では、２つの電源Ｖ１，Ｖ２を生成するため、図４に示すように１次側のトランス２４ｃ，２４ｆとスイッチング素子２４ｄ,２４ｇ、並びに２次側の回路構成（具体的には、ダイオードｄ１，ｄ２及び電界コンデンサｃ１，ｃ２）が２つ並列に接続されている構成が採用されていた。しかし、ファン用インバータ基板Ｐ４のスイッチング電源部４３では、１つの電源Ｖ３のみを生成するため、図４の整流部２４ａ及び平滑コンデンサ２４ｂに加えて、１次側のトランス２４ｃとスイッチング素子２４ｄとを１つずつ、並びに２次側の回路を構成するダイオードｄ１及び電界コンデンサｃ１を有する構成であることができる。
【００７１】
（２−３−３）ファン用インバータ
ファン用インバータ４４は、インターフェース４１を介して、圧縮機用インバータ基板Ｐ２の平滑コンデンサ２７の後段かつ平滑コンデンサ２７の両端に並列に接続されており、平滑後電圧Ｖｆ及びグランド電圧Ｖｇｎｄの印加を受ける。ファン用インバータ４４は、ファン用モータＭ４に該モータＭ４を駆動するための３相の駆動電圧ＳＵ２，ＳＶ２，ＳＷ２をインターフェース４２を介して出力する。これにより、ファン用モータＭ４は、回転することができる。
【００７２】
なお、ファン用インバータ４４の構成は、図５に示す圧縮機用インバータ２８の回路構成と同様である。
【００７３】
（２−３−４）ファン用ゲートドライバ
ファン用ゲートドライバ４５は、図６に示すように、インターフェース４１を介して圧縮機用インバータ基板Ｐ２上のスイッチング電源部２４に接続されている。更に、ファン用ゲートドライバ４５は、ファン用マイクロコンピュータ４６、及びファン用インバータ４４（より具体的には、ファン用インバータ４４における各トランジスタのゲート）、と接続されている。
【００７４】
ファン用ゲートドライバ４５は、スイッチング電源部２４から第２電源Ｖ２の供給を受け、該電源Ｖ２を用いて駆動する。ファン用ゲートドライバ４５は、ファン用マイクロコンピュータ４６からの出力である指示信号に基づいて、ファン用インバータ４４における各トランジスタへのゲート電圧の印加制御を行うことで、ファン用インバータ４４に駆動電圧ＳＵ２，ＳＶ２，ＳＷ２の生成及び出力動作を行わせる。
【００７５】
（２−３−５）ファン用マイクロコンピュータ
ファン用マイクロコンピュータ４６は、ＣＰＵ、ＲＡＭ及びＲＯＭで構成されており、スイッチング電源部４３及びファン用ゲートドライバ４５と接続されている。ファン用マイクロコンピュータ４６は、スイッチング電源部４３において生成された第３電源Ｖ３の供給を受けてファン用ゲートドライバ４５の駆動制御を行うことで、ファン用インバータ４４の制御を行う。
【００７６】
具体的には、ファン用マイクロコンピュータ４６は、高圧異常検知基板Ｐ１における統括制御用マイクロコンピュータ１３からのモータ駆動の指令等により、ファン用モータＭ４を所定回転数で駆動させるための指示信号を、ファン用ゲートドライバ４５に出力する。これにより、ファン用ゲートドライバ４５は、ファン用インバータ４４の各トランジスタを所定周波数にてオン及びオフさせるゲート電圧を出力することとなる。また、ファン用マイクロコンピュータ４６は、統括制御用マイクロコンピュータ１３からのモータ駆動停止の指令等を取得した場合には、ファン用モータＭ４の回転を停止させるための指示信号を、ファン用ゲートドライバ４５に出力する。これにより、ファン用ゲートドライバ４５は、ファン用インバータ４４の各トランジスタに“０Ｖ”のゲート電圧を出力する。
【００７７】
特に、本実施形態では、圧縮機に関する異常や少なくとも１つのモータＭ２，Ｍ４，・・・における漏洩電流の発生により電源制御スイッチＳ２５がオフした際、スイッチング電源部２４への商用電源Ｖ０の供給が断たれるため、スイッチング電源部２４による第２電源Ｖ２の生成動作が停止する。このため、スイッチング電源部４３への第２電源Ｖ２の供給も断たれ、第３電源Ｖ３のファン用マイクロコンピュータ４６への供給も断たれる。従って、この場合、ファン用マイクロコンピュータ４６は、ファン用インバータ４４の制御動作を行わなくなり、ファン用モータＭ４は回転を停止する。
【００７８】
（３）動作
次に、本実施形態に係る電源制御装置１０及び各モータＭ２，Ｍ４，・・・の動作について説明する。
【００７９】
図７は、電源制御装置１０及び各モータＭ２，Ｍ４，・・・における動作の流れを示すフロー図である。ここで、まずは、圧縮機が正常であり、かついずれのモータＭ２，Ｍ４，・・・においても漏洩電流が生じていない運転がなされているとする。つまり、高圧異常検出基板Ｐ１上の各スイッチＳ１１，Ｓ１２，Ｓ１４、及び圧縮機用インバータ基板Ｐ２上の電源制御スイッチＳ２５全てはオンしており、各モータＭ２，Ｍ４，・・・は、駆動電圧ＳＵ１〜ＳＷ１、ＳＵ２〜ＳＷ２，・・・に基づき駆動しているとする。
【００８０】
ステップｓｐ１〜ｓｐ４：圧縮機において異常が生じ、高圧異常検知基板Ｐ１に係る各異常検知スイッチＳ１１，Ｓ１２の少なくとも１つがオンからオフへと変化した場合（ｓｐ１のＹｅｓ，ｓｐ２のＹｅｓ）、接続ポイントｓａ１は、約１６Ｖからハイ・インピーダンスの状態へと変化する。または、少なくとも１つのモータＭ２，Ｍ４，・・・において漏洩電流が生じたために高圧異常検知基板Ｐ１に係る統括制御用スイッチＳ１４がオンからオフへと変化した場合（ｓｐ３のＹｅｓ）、接続ポイントｓａ２は、約０Ｖからハイ・インピーダンスの状態へと変化する。これにより、圧縮機用インバータ基板Ｐ２に係る電源制御スイッチＳ２５のリレーコイルＳ２５ａの両端電圧は、約１６Ｖであった状態から変化して、リレースイッチＳ２５ｂはオンからオフへと変化する（ｓｐ４）。
【００８１】
ステップｓｐ５〜ｓｐ７：リレースイッチＳ２５ｂがオフであるため、商用電源部９０から圧縮機用インバータ基板Ｐ２におけるスイッチング電源部２４への商用電源Ｖ０の供給が断たれる。そのため、スイッチング電源部２４は、第１電源Ｖ１及び第２電源Ｖ２の生成動作及び出力動作を停止する（ｓｐ５）。これにより、第１電源Ｖ１を用いて動作していた圧縮機用マイクロコンピュータ３０は、圧縮機用ゲートドライバ２９の制御動作を停止し、第２電源Ｖ２を用いて動作していた圧縮機用ゲートドライバ２９も、圧縮機用インバータ２８の駆動動作を停止する（ｓｐ６）。従って、圧縮機用モータＭ２への駆動電圧ＳＵ１〜ＳＷ１の出力が停止され、圧縮機用モータＭ２が回転を停止するため、圧縮機の運転が停止される（ｓｐ７）。
【００８２】
ステップｓｐ８〜ｓｐ１０：一方、ステップｓｐ５において、スイッチング電源部２４が第２電源Ｖ２の生成動作及び出力動作を停止したことにより、ファン用インバータ基板Ｐ４側のスイッチング電源部４３への第２電源Ｖ２の供給が停止する。これにより、スイッチング電源部４３は、第３電源Ｖ３の生成動作及び出力動作を停止する（ｓｐ８）。第３電源Ｖ３を用いて動作していたファン用マイクロコンピュータ４６は、ファン用ゲートドライバ４５の制御動作を停止する。更に、ステップｓｐ５により、第２電源Ｖ２のファン用ゲートドライバ４５への供給も断たれるため、ファン用ゲートドライバ４５もファン用インバータ４４の駆動動作を停止する（ｓｐ９）。従って、ファン用モータＭ４への駆動電圧ＳＵ２〜ＳＷ２の出力が停止され、ファン用モータＭ４が回転を停止するため、ファンの運転も停止される（ｓｐ１０）。
【００８３】
（４）特徴
（４−１）
本実施形態に係る電源制御装置１０においては、圧縮機に関する異常がある場合、圧縮機用インバータ基板Ｐ２上のスイッチング電源部２４は、第１電源Ｖ１の生成動作を停止するため、スイッチング電源部２４から圧縮機用マイクロコンピュータ３０への第１電源Ｖ１の供給が断たれる。圧縮機用マイクロコンピュータ３０に第１電源Ｖ１が供給されない状態になると、圧縮機用マイクロコンピュータ３０は、圧縮機用インバータ２８の制御用の信号を出力しなくなるため、圧縮機用インバータ２８から圧縮機用モータＭ２への駆動電圧ＳＵ１〜ＳＷ１の出力が停止し、圧縮機の運転が停止する。
【００８４】
特に、上記第１電源Ｖ１は、商用電源部９０から圧縮機用インバータ２８へのラインＬ２３に供給される電源に比して弱電である。そのため、仮に商用電源部９０と整流部２６との間のライン上に商用電源部９０からインバータ２８への電源供給を断つための主回路スイッチが設けられている場合において、該スイッチが溶着したとしても、本実施形態では第１電源Ｖ１の供給が断たれた圧縮機用マイクロコンピュータ３０は駆動制御動作自体を停止するため、圧縮機用モータＭ２の駆動が停止する。従って、主回路スイッチの溶着の有無に関係なく、また圧縮機用マイクロコンピュータ３０の暴走が生じることもなく、確実に圧縮機の運転を停止することができる。
【００８５】
（４−２）
特に、本実施形態に係る電源制御装置１０においては、圧縮機に関する異常がある場合、電源制御スイッチＳ２５によって商用電源部９０からスイッチング電源部２４への商用電源Ｖ０の供給が断たれることにより、圧縮機用マイクロコンピュータ３０への第１電源Ｖ１の供給がされなくなる。これにより、まずは圧縮機用マイクロコンピュータ３０による圧縮機用インバータ２８の駆動制御動作が行われなくなり、その結果、圧縮機用インバータ２８の圧縮機用モータＭ２への駆動電圧ＳＵ１〜ＳＷ１の出力が停止される。
【００８６】
（４−３）
また、本実施形態に係る電源制御装置１０では、電源制御スイッチＳ２５は、商用電源部９０とスイッチング電源部２４とを繋ぐ電源ラインＬ２１上に設けられたスイッチリレーＳ２５ｂを有している。そして、電源ラインＬ２１を流れる電流は、圧縮機用インバータ２８に流れる電流よりも小さい。つまり、電源ラインＬ２１は、弱電用のラインであると言える。これにより、電源ラインＬ２１上に設けられるリレースイッチＳ２５ｂとしては、弱電用のものを用いることができるため、コストダウンを図ることができる。更に、リレースイッチＳ２５ｂには、圧縮機用インバータ２８に流れるような大きな電流は流れないため、リレースイッチＳ２５ｂが溶着される危険性も低い。
【００８７】
（４−４）
また、本実施形態に係る電源制御装置１０では、圧縮機に関する異常がある場合には、スイッチング電源部２４自体が駆動を停止するため、第１電源Ｖ１の生成動作に加えて第２電源Ｖ２の生成動作も停止する。その結果、圧縮機用マイクロコンピュータ３０への第１電源Ｖ１の供給のみならず、圧縮機用ゲートドライバ２９への第２電源Ｖ２の供給も断たれる。これにより、圧縮機に関する異常がある場合、圧縮機用インバータ２８による駆動電圧ＳＵ１〜ＳＷ１の出力動作が、より確実に停止することとなる。
【００８８】
（５）変形例
以上、本発明の実施形態について図面に基づいて説明したが、具体的な構成は、上記実施形態に限られるものではなく、発明の要旨を逸脱しない範囲で変更可能である。
【００８９】
（５−１）変形例Ａ
上記実施形態では、図２に示すように、異常検知スイッチＳ１１，Ｓ１２が２つ設けられている場合について説明した。しかし、異常検知スイッチＳ１１，Ｓ１２の数は、２つに限定されない。異常検知スイッチＳ１１，Ｓ１２は、１つであってもよいし、複数であってもよい。異常検知スイッチＳ１１，Ｓ１２が複数設けられる場合には、各スイッチＳ１１，Ｓ１２は互いに直列に接続される。
【００９０】
（５−２）変形例Ｂ
上記実施形態では、図３に示すように、電源制御スイッチＳ２５に係るリレースイッチＳ２５ｂが電源ラインＬ２１に直列に設けられており、スイッチング電源部２４への商用電源Ｖ０の供給が遮断されることによって、スイッチング電源部２４自体の電源生成動作及び出力動作が停止されると説明した。しかし、本発明では、圧縮機に関する異常が生じた場合、スイッチング電源部２４自体が電源生成動作及び出力動作を停止すればよく、従って電源制御装置１０の構成は、図３の構成に限定されない。
【００９１】
図３の構成以外で、スイッチング電源部２４自体が電源生成動作及び出力動作を停止する方法としては、例えば図８に示すものが挙げられる。図８では、スイッチング電源部２４’内部の第１電源Ｖ１生成用の１次側回路上に、電源制御スイッチＳ２５’が設けられており、このスイッチＳ２５’は、例えば高圧異常検出基板Ｐ１側の異常検知スイッチＳ１１，Ｓ１２や統括制御用スイッチＳ１４と連動してオン及びオフを行う。なお、スイッチング電源部２４’が図８の構成を採る場合、電源制御スイッチＳ２５’は、スイッチング電源部２４’内に設けられているので、図３の圧縮機用インバータ基板Ｐ２の電源ラインＬ２１上には設けられない。
【００９２】
図８の構成に係るスイッチング電源部２４’によると、電源制御スイッチＳ２５’は、異常検知スイッチＳ１１，Ｓ１２及び統括制御用スイッチＳ１４全てがオンであればオンとなり、異常検知スイッチＳ１１，Ｓ１２及び統括制御用スイッチＳ１４の少なくとも１つがオフであればオフとなる。従って、圧縮機に関する異常及びモータＭ２，Ｍ４，・・・における漏洩電流の少なくとも１つが生じた場合等には、対応する異常検知スイッチＳ１１，Ｓ１２及び統括制御用スイッチＳ１４の少なくとも１つがオフとなり、電源制御スイッチＳ２５’もオフとなる。そのため、スイッチング電源部２４’は、第１電源Ｖ１の生成動作及び出力動作を停止する。従って、圧縮機用マイクロコンピュータ３０の駆動が停止し、圧縮機用モータＭ２の回転が停止して、圧縮機の運転が停止する。
【００９３】
一方で、図８の構成に係るスイッチング電源部２４’は、電源制御スイッチＳ２５’がオフとなっても、第２電源Ｖ２の生成動作及び出力動作を継続して行う。つまり、スイッチング電源部２４’は、圧縮機に関する異常及びモータＭ２，Ｍ４，・・・における漏洩電流の少なくとも１つが生じた場合等には、圧縮機用マイクロコンピュータ３０に供給される第１電源Ｖ１の生成動作及び出力動作のみを停止する。従って、図８の構成に係るスイッチング電源部２４’では、圧縮機を停止させたとしてもファンのみを動かすような運転を行うことが可能となるため、上記実施形態の場合に比して幅広い制御ができる。
【００９４】
（５−３）変形例Ｃ
上記実施形態では、統括制御用マイクロコンピュータ１３がモータＭ２，Ｍ４，・・・の漏洩電流の検知を行うと説明した。しかし、統括制御用マイクロコンピュータ１３は、更に室外ファンの回転異常や、室外機の発火による室内機全体の熱異常等を室外機に関する異常として検知してもよい。統括制御用マイクロコンピュータ１３がこれらの異常を１つでも検知した場合、統括制御用スイッチＳ１４がオフするため、スイッチング電源部２４による電源生成動作及び出力動作が停止され、その結果、圧縮機の駆動が停止する。
【００９５】
（５−４）変形例Ｄ
上記実施形態では、圧縮機が、空気調和装置の室外機に備えられている場合について説明した。しかし、圧縮機は、ヒートポンプ装置に備えられている圧縮機であってもよい。
【００９６】
（５−５）変形例Ｅ
上記実施形態では、第１電源Ｖ１及び第３電源Ｖ３が約５Ｖ、第２電源が約１５Ｖの電圧を有する電源である場合について説明した。しかし、各電源Ｖ１〜Ｖ３が有する電圧値は、これらの値に限定されず、例えば約３Ｖや約１０Ｖなどであることができる。
【符号の説明】
【００９７】
Ｐ１  高圧異常検出基板
Ｐ２  圧縮機用インバータ基板
Ｐ４  ファン用インバータ基板
Ｍ２  圧縮機用モータ
Ｍ４  ファン用モータ
Ｓ１１，Ｓ１２  異常検知スイッチ
１３  統括制御用マイクロコンピュータ
Ｓ１４  統括制御用スイッチ
２１，２２，２３  インターフェース
２４  スイッチング電源部
Ｓ２５  電源制御用スイッチ
Ｓ２５ａ  リレーコイル
Ｓ２５ｂ  リレースイッチ
２８  圧縮機用インバータ
２９  圧縮機用ゲートドライバ
３０  圧縮機用マイクロコンピュータ
４１，４２  インターフェース
４３  スイッチング電源部
４４  ファン用インバータ
４５  ファン用ゲートドライバ
４６  ファン用マイクロコンピュータ
Ｖ０  商用電源
Ｖ１  第１電源
Ｖ２  第２電源
Ｖ３  第３電源
Ｖｆ  平滑後電圧
Ｖｇｎｄ  グランド電圧
【先行技術文献】
【特許文献】
【００９８】
【特許文献１】特許第４７３８１２９号
【図１】
0005454596.tif 000002
【図２】
0005454596.tif 000003
【図３】
0005454596.tif 000004
【図４】
0005454596.tif 000005
【図５】
0005454596.tif 000006
【図６】
0005454596.tif 000007
【図７】
0005454596.tif 000008
【図８】
0005454596.tif 000009